(57)【要約】【課題】舞台の間口の調整が可能であるとともに、側面反射板としても利用でき側面反射板の奥行方向の長さ不足を補えるウイング装置の提供である。【解決手段】本発明のウイング装置Ｗは、舞台Ｓの上方に舞台Ｓの間口方向に沿って設置される走行レール１と、走行レール１から吊り下げられて走行レール１に沿って走行可能な走行フレーム２と、走行フレーム２に対して鉛直方向を軸にして旋回可能に連結されて舞台Ｓの間口を調節するウイング板３とを備え、ウイング板３は、表側に設けられる舞台Ｓの間口の調節時に使用される化粧面１１と、裏側に設けられる音響反射面１２とを有している。【選択図】図１
2019203300.tif 000002
【特許請求の範囲】
【請求項１】
舞台の上方に前記舞台の間口方向に沿って設置される走行レールと、
前記走行レールから吊り下げられて前記走行レールに沿って走行可能な走行フレームと、
前記走行フレームに対して鉛直方向を軸にして旋回可能に連結されて前記舞台の間口を調節するウイング板とを備え、
前記ウイング板は、
表側に設けられる前記舞台の間口の調節時に使用される化粧面と、
裏側に設けられる音響反射面とを有する
ことを特徴とするウイング装置。
【請求項２】
前記ウイング板を前記走行フレームに対して旋回不能とする固定部を備えた
ことを特徴とする請求項１に記載のウイング装置。
【請求項３】
前記ウイング板は、
上端における一端が前記走行フレームに旋回可能に連結されるとともに、
上下方向に移動可能であって前記舞台に設けた受金に抜き差し可能であって、前記受金に挿入された際に前記ウイング板の旋回軸となる旋回用ロックピンを有する
ことを特徴とする請求項１または２に記載のウイング装置。
【請求項４】
前記固定部は、
前記ウイング板の上端における他端に設けられた被支持部と、
前記被支持部の下方に配置される支持部と、前記支持部を前記被支持部に対して上下方向に駆動可能な駆動部とを有して、前記走行フレームに設けられるジャッキ装置とを有する
ことを特徴とする請求項２または請求項２に従属する請求項３に記載のウイング装置。
【請求項５】
前記ジャッキ装置は、前記支持部を前記被支持部に当接する位置である上限位置と、予め設定される下限位置まで移動させると前記駆動部を停止させる
ことを特徴とする請求項４に記載のウイング装置。
【請求項６】
前記ジャッキ装置は、前記支持部が上限位置にある場合に、前記旋回用ロックピンが前記受金に挿入されていない場合には前記支持部を下方へ駆動しない
ことを特徴とする請求項３に従属する請求項４に記載のウイング装置。
【請求項７】
前記走行フレームは、前記走行レールを走行するギヤードトロリを有する
ことを特徴とする請求項１から６のいずれか一項に記載のウイング装置。
【発明の詳細な説明】
【技術分野】
【０００１】
この発明は、ウイング装置に関する。
【背景技術】
【０００２】
多目的ホールでは、舞台の上手と下手の両袖に、舞台に対して間口方向への移動が可能な板状の構造体を備えており、客席側から見た際の舞台の間口を調節するウイング装置を備える場合がある。
【０００３】
ウイング装置は、プロセニアムと称される舞台と客席とを仕切る額縁状の壁の背後に設けられて、客席側面にプロセニアム形式の化粧が施された板状の構造体を備えていて、プロセニアムから構造体を舞台側へ迫り出すと舞台の間口が狭まり、プロセニアム側へ構造体を移動させると舞台の間口を広げる（たとえば、特許文献１、２参照）。
【０００４】
また、多目的ホールでは、舞台を演劇の他、舞台上に音響空間を形成する音響反射板を設置して舞台をコンサートにも利用できるようにしている。音響反射板は、多くの場合、ホールの天井からワイヤで吊り下げられており、演劇を行う場合には客席側から見えないように舞台上方に格納され、コンサートを行う場合には舞台上に下されて使用される。
【０００５】
音響反射板は、客席に正対する正面反射板と、正面反射板の両側に設置される一対の側面反射板と、正面反射板と二つの側面反射板で囲われる空間の上方に設置される天井反射板を備えている。そして、音響反射板は、演目によってオーケストラの編成が大小異なるために、オーケストラの編成規模に対応して音響空間を大小調節できるような構造を採用している。
【０００６】
具体的には、オーケストラの編成規模に応じて側面反射板と天井反射板の舞台奥行方向の長さの変更が要求され、側面反射板は、編成規模に応じて舞台奥行方向の長さを調節できるように、一部が舞台奥行方向へ折り畳みが可能な構造を採用している（たとえば、特許文献３参照）
【先行技術文献】
【特許文献】
【０００７】
【特許文献１】特開平１０−２４９０６９号公報
【特許文献２】特開２０１０−２４７３９号公報
【特許文献３】特開２０１２−９０８００号公報
【発明の概要】
【発明が解決しようとする課題】
【０００８】
前述したように、多目的ホールでは、奥行長さの調節が可能な側面反射板が必要となるが、ホールの構造によっては側面反射板の格納スペースが充分に確保できない場合がある。このような場合、折り畳み構造の側面反射板では、どうしても大編成を収容する音響空間を形成する奥行長さを確保できない。
【０００９】
他方、従来のウイング装置は、舞台の間口の調節にのみ使用されており、音響空間には全く寄与できず、音響反射板とは別個の舞台設備となっている。
【００１０】
そこで、本発明は、舞台の間口の調整が可能であるとともに、側面反射板としても利用でき側面反射板の奥行方向の長さ不足を補えるウイング装置の提供を目的とする。
【課題を解決するための手段】
【００１１】
上記した目的を達成するために、本発明のウイング装置は、舞台の上方に舞台の間口方向に沿って設置される走行レールと、走行レールから吊り下げられて走行レールに沿って走行可能な走行フレームと、走行フレームに対して鉛直方向を軸にして旋回可能に連結されて舞台の間口を調節するウイング板とを備え、ウイング板は、表側に設けられる舞台の間口の調節時に使用される化粧面と、裏側に設けられる音響反射面とを有している。
【００１２】
このように構成されたウイング装置は、ウイング板の化粧面を客席側に正対させると舞台の間口を調節するウイングとして機能し、ウイング板を旋回させて音響反射面を舞台の中央側に向けて配置すると側面反射板として機能できる。
【００１３】
また、ウイング装置は、ウイング板を走行フレームに対して旋回不能とする固定部を備えていてもよい。このように固定部を備えたウイング装置によれば、走行レールに対してウイング板を移動させる際に、ウイング板を走行フレームに一体化でき、スムーズにウイング板を移動させ得る。
【００１４】
さらに、ウイング板の上端における一端が走行フレームに旋回可能に連結されるとともに、ウイング板が、上下方向に移動可能であって舞台に設けた受金に抜き差し可能であって、受金に挿入された際にウイング板の旋回軸となる旋回用ロックピンを有してもよい。このように構成されたウイング装置によれば、ウイング板に舞台の旋回用ロックピンを設けているので、ウイング板を旋回させる際にウイング板の走行フレームに対する傾きを防止でき、ウイング板が走行フレームに干渉するのを防止できる。
【００１５】
また、ウイング装置は、固定部がウイング板の上端における他端に設けられた被支持部と、被支持部の下方に配置される支持部と、支持部を被支持部に対して上下方向に駆動可能な駆動部とを有して、走行フレームに設けられるジャッキ装置とを備えてよい。このように構成されたウイング装置によれば、ウイング板の走行フレームに対する旋回を規制できるとともに、一端が走行フレームに回転支持されるウイング板の他端をジャッキ装置で支持できるから、走行フレームとウイング板とを一体とした際の傾きを防止できる。
【００１６】
さらに、ウイング装置は、ジャッキ装置が支持部を被支持部に当接する位置である上限位置と、予め設定される下限位置まで移動させると駆動部を停止させてもよい。このように構成されたウイング装置によれば、ジャッキ装置を自動的に上限位置と下限位置に停止できるので、操作者が目視でジャッキ装置がウイング板を支持しているか否かを確認しなくてもよく、ウイング板を走行フレームに固定する作業が容易となる。
【００１７】
また、支持部が上限位置にある場合に、旋回用ロックピンが受金に挿入されていない場合にはジャッキ装置は支持部を下方へ駆動しないようにしてもよい。このようにウイング装置が構成されると、操作者が誤ってウイング板が傾いてしまうような操作を行ってもジャッキ装置は駆動されないので、ウイング板と走行フレームとの干渉を未然に防げる。
【００１８】
そして、ウイング装置では、走行フレームが走行レールを走行するギヤードトロリを備えているので、走行フレームとウイング板の移動にあたって操作者の負担を軽減できる。
【発明の効果】
【００１９】
本発明のウイング装置によれば、舞台の間口の調整が可能であるとともに、側面反射板としても利用でき側面反射板の奥行方向の長さ不足を補える。
【図面の簡単な説明】
【００２０】
【図１】一実施の形態におけるウイング装置の正面図である。
【図２】一実施の形態におけるウイング装置の右側面図である。
【図３】一実施の形態におけるウイング装置の走行フレームに対するウイング板の旋回動作を説明する図である。
【図４】ジャッキ装置と被支持部の拡大側面図である。
【図５】操作盤の一例を示した図である。
【発明を実施するための形態】
【００２１】
以下、図に示した実施の形態に基づき、本発明を説明する。一実施の形態におけるウイング装置Ｗは、図１に示すように、舞台Ｓの上方に舞台Ｓの間口方向である図１中左右方向に沿って設置される走行レール１と、走行レール１から吊り下げられて走行レール１に沿って走行可能な走行フレーム２と、走行フレーム２に対して鉛直方向を軸にして旋回可能に連結されて舞台Ｓの間口を調節するウイング板３とを備えて構成されている。なお、ウイング装置Ｗは、舞台Ｓの両袖に設けられるが、左右対称の構造となっているので、図１では客席側から見て左側（下手）のウイング装置Ｗのみを示して、以下、ウイング装置Ｗについて説明する。
【００２２】
以下、ウイング装置Ｗの各部について詳細に説明する。走行レール１は、図１および図２に示すように、本実施の形態では、Ｉ形鋼とされていて、舞台Ｓを図示しない客席とを仕切る壁Ｐに複数の鋼材Ｆを介して、舞台Ｓの上方であって舞台Ｓの間口方向である図１中左右方向に沿って取り付けられている。また、本実施の形態では、走行レール１は、舞台Ｓの上方に設置される図示しないスノコから延びるワイヤにより吊られており、ウイング装置Ｗの重量を支持できるようになっている。なお、強度上、鋼材Ｆによる壁Ｐへの取り付けで、ウイング装置Ｗの重量を充分に支持できる場合には、ワイヤによる吊り下げは省略できる。
【００２３】
走行フレーム２は、本実施の形態では、フレーム本体４と、フレーム本体４に設けたジャッキ装置Ｊと、フレーム本体４に設けられて走行レール１を走行するギヤードトロリ５およびプレントロリ６とを備えている。
【００２４】
フレーム本体４は、走行レール１に並行する横材４ａと、横材４ａの一端から垂下される縦材４ｂと、縦材４ｂの下端に上下方向に移動可能に取り付けられた固定用ピン４ｃとを備えて構成されている。
【００２５】
また、フレーム本体４の横材４ａの舞台袖側端である図１中左端の上方には、走行レール１を走行可能なギヤードトロリ５が取り付けられており、フレーム本体４の横材４ａの舞台中央側端である図１中右端の上方には、走行レール１を走行可能なプレントロリ６が取り付けられている。
【００２６】
ギヤードトロリ５は、走行レール１のフランジ状を走行する図示しない車輪と、図外のギヤを介して車輪を駆動する駆動輪とを備えてフレーム本体４の横材４ａの舞台袖側端の上方に設けられる走行部５ａと、駆動輪を駆動するために駆動輪に掛けられるチェーン５ｂとを備えている。そして、操作者がチェーン５ｂを手繰ることで駆動輪を回転させると、ギヤを介して操作者が与える動力が車輪に伝達されて走行部５ａが走行レール１に沿って移動する。また、プレントロリ６は、走行レール１のフランジ状を走行する図示しない車輪を備えており、走行レール１上を円滑に走行できる。操作者がギヤードトロリ５のチェーン５ｂを操作すると、走行フレーム２は、走行レール１に沿って舞台Ｓの間口を広げる或いは狭める方向に移動する。
【００２７】
そして、このようにギヤードトロリ５を用いると、小さな力でウイング板３ととともに走行フレーム２を移動させ得るので、走行フレーム２とウイング板３の移動にあたって操作者の負担を軽減できる。なお、ギヤードトロリ５の車輪をモータで駆動するようにして、チェーン５ｂを廃止してもよい。
【００２８】
固定用ピン４ｃは、先端となる下端が縦材４ｂの下端よりも上方にある位置と、先端が縦材４ｂの下端よりも舞台Ｓ側へ突出する位置に固定できるようになっている。また、舞台Ｓにおける走行フレーム２の移動軌跡の直下には、固定用ピン４ｃの抜き差しを許容して走行フレーム２を固定するために使用される受金７が複数個所に設置されている。固定用ピン４ｃと受金７は、フランス落としを構成しており、受金７に固定用ピン４ｃが差し込まれた状態では、走行フレーム２における舞台Ｓの間口方向への移動を規制してその場に固定できる。なお、受金７の設置個所および設置数は、舞台Ｓの間口の調整幅に応じて決定すればよい。
【００２９】
ジャッキ装置Ｊは、図４に示すように、走行フレーム２にステー１８を介して取り付けられた駆動部としてのアクチュエータ８と、アクチュエータ８によって上下方向に駆動される支持部９とを備えて構成されている。アクチュエータ８は、モータＭと、モータＭによって回転駆動される図示しないウォームと、ウォームに歯合する図示しない環状のギヤと、前記ギヤの内周に螺合される螺子ロッドＲとを備えており、モータＭを駆動すると送り螺子の要領で螺子ロッドＲを上下動させ得る。また、アクチュエータ８は、図外のウォームとギヤとでセルフロック機構を構成しており、螺子ロッドＲ側に上下方向の外力が作用しても螺子ロッドＲの上下方向の移動を規制できる。支持部９は、螺子ロッドＲの上端に装着されており、上方へ突出する凸部９ａを備えている。
【００３０】
ウイング板３は、矩形の枠体１０ａと、枠体１０ａを補強するために設けた複数のブレース１０ｂおよびビーム１０ｃとを備えた構造体１０と、構造体１０の表側である客席側に設けられた化粧面１１と、構造体１０の裏側である反客席側に設けた音響反射面１２とを備えている。なお、本書では、ウイング板３の表とは、ウイング板３を舞台Ｓの間口を調節するウイングとして利用する場合に客席側に正対する面をいい、ウイング板３の裏とは、ウイング板３を舞台Ｓの間口を調節するウイングとして利用する場合に舞台側に正対する面をいう。
【００３１】
ウイング板３の表側の化粧面１１は、構造体１０の表側にプロセニアム形式の化粧を張って形成されており、観客からウイング板３の裏側を見えないようにする目隠しとして使用されて舞台Ｓの間口を調節する際に使用される。
【００３２】
ウイング板３の裏側の音響反射面１２は、音の反射に向く材質で形成されており、音響反射板における側面反射板の一部として機能して客席側へ向けて音を効率的に反射させるものである。
【００３３】
このように構成されたウイング板３は、図１中の上端であって舞台中央側端である一端に設けた連結軸１０ｄを介して走行フレーム２の横材４ａの舞台中央側端にヒンジ結合されていて、図３で示すように、鉛直方向を軸として走行フレーム２に対して旋回できるようになっている。
【００３４】
また、ウイング板３の図１中の下端であって舞台中央側端であって連結軸１０ｄの直下には、旋回用ロックピン１３が上下方向に移動可能に設けられている。旋回用ロックピン１３は、先端となる下端がウイング板３の下端よりも上方に配置してウイング板３内に収納される収納位置から先端がウイング板３の下端よりも舞台Ｓ側へ突出してウイング板３の旋回軸として機能する旋回時使用位置まで変位できるようになっている。具体的には、旋回用ロックピン１３は、セルフロック可能な送り螺子機構によってウイング板３に対して上下動するようになっている。そして、ウイング板３の枠体１０ａの側方に図示しない孔が設けてあって、この孔にハンドルを差し込むと、ハンドルが送り螺子機構に接続されてハンドル操作によって旋回用ロックピン１３を上下動させるようになっている。よって、ハンドル操作によって旋回用ロックピン１３を上下方向の任意の位置に移動させた後、ハンドル側から送り螺子機構に動力を与えない限り旋回用ロックピン１３はその場に固定される。
【００３５】
走行レール１に対して走行フレーム２を移動させてウイング板３を舞台Ｓ上の所定位置に移動させると、舞台Ｓに設けられて旋回用ロックピン１３の抜き差しを許容する環状の受金１４に旋回用ロックピン１３の先端が対向する。そして、旋回用ロックピン１３は断面円形であって、受金１４の内周形状も円形となっており、旋回用ロックピン１３の先端が受金１４に挿入されて嵌合された状態では旋回用ロックピン１３は受金１４に対して軸線周りの回転が許容される。よって、旋回用ロックピン１３を受金１４内に挿入して旋回時使用位置にまで変位させると、旋回用ロックピン１３は、ウイング板３の下端側の旋回軸として機能する。よって、ウイング板３は、連結軸１０ｄと旋回用ロックピン１３とを旋回軸として、両者を通る鉛直方向の線Ｖ（図１中一点鎖線）を中心として走行フレーム２に対して旋回できる。なお、旋回用ロックピン１３の駆動については、前記したハンドル操作以外にもモータを利用してもよい。また、旋回用ロックピン１３の駆動については、送り螺子機構を使わずに、旋回用ロックピン１３を収納位置と旋回時使用位置とに固定可能なロック機構を備えた直動型のアクチュエータを利用してもよい。
【００３６】
また、ウイング板３の構造体１０の下端における図１中の舞台袖側には、ウイング板３を旋回させた場合において、旋回先でウイング板３を固定するための固定用ピン１０ｅが設けられている。この固定用ピン１０ｅは、先端が構造体１０の枠体１０ａの下端よりも上方に配置された状態と、先端が枠体１０ａの下端よりも舞台Ｓ側へ突出する状態とに固定できるようになっている。また、舞台Ｓにおけるウイング板３の舞台袖側端の移動軌跡の直下には、固定用ピン１０ｅの抜き差しを許容してウイング板３を固定するために使用される受金１６が複数個所に設置されている。固定用ピン１０ｅと受金１６は、フランス落としを構成しており、受金１６に固定用ピン１０ｅが差し込まれた状態では、ウイング板３における走行フレーム２に対する旋回軸周りの旋回を規制してウイング板３をその場に固定できる。なお、受金１６の設置個所および設置数は、ウイング板３を固定したい場所に応じて決定すればよい。
【００３７】
また、ウイング板３の上端であって舞台袖側端である他端には、つまり、図１中で枠体１０ａの上端の左端には、走行フレーム２の横材４ａの直下にウイング板３を横材４ａと平行に配置した状態とすると、ジャッキ装置Ｊの支持部９の上方に対向する被支持部１５が取り付けられている。ジャッキ装置ＪにおけるモータＭを正転させると支持部９が被支持部１５に近づいて当接する上限位置まで変位し、逆にモータＭを逆転させると支持部９が被支持部１５から遠ざかり所定の下限位置まで変位する。
【００３８】
被支持部１５は、図４に示すように、支持部９の凸部９ａが嵌合する凹部１５ａを備えており、被支持部１５の下方に支持部９を対向させた状態でジャッキ装置Ｊを駆動して支持部９を上限位置まで変位させて被支持部１５に嵌合させると、支持部９に対して被支持部１５の横方向の移動が規制される。また、支持部９を被支持部１５に当接させた状態では、ウイング板３の舞台袖側端が走行フレーム２に取り付けたジャッキ装置Ｊによって下方から支持さえる格好となり、ウイング板３の上端における両端は、連結軸１０ｄとジャッキ装置Ｊとで吊られた状態で走行フレーム２に支持される。この状態では、ウイング板３は、被支持部１５への支持部９の嵌合によって前記旋回軸周りの旋回が規制されて走行フレーム２の横材４ａの直下に平行配置された状態に保持される。このように、本実施の形態では、固定部は、ウイング板３に設けた被支持部１５と走行フレーム２に設けたジャッキ装置Ｊとで構成されている。
【００３９】
なお、被支持部１５への支持部９への嵌合のみでもウイング板３の走行フレーム２に対する旋回を規制できるが、本実施の形態では、ウイング板３を走行フレーム２に固定する旋回止めピン１７を設けている。具体的には、旋回止めピン１７は、走行フレーム２の縦材４ｂを図１中左右方向に貫いた状態で前記縦材４ｂに着脱可能とされていて、縦材４ｂに取り付けた状態では先端が舞台中央側に突出する。また、ウイング板３の構造体１０の舞台袖側端には、この旋回止めピン１７の断面に符合する形状の図示しない孔が設けられている。よって、ウイング板３を走行フレーム２の直下で平行に配置した状態で、縦材４ｂに旋回止めピン１７を取り付けて構造体１０の前記孔に挿入すると、ウイング板３の走行フレーム２に対する旋回が阻止されるとともに、ウイング板３の下端側の図１中止面方向へのふらつきも防止される。また、旋回止めピン１７を構造体１０の孔に挿入すると、ジャッキ装置Ｊによる支持が無くとも旋回止めピン１７がウイング板３を支持して傾きを防止できるようにしてもよい。このようにすると、被支持部１５やジャッキ装置Ｊに何らかの支障があってジャッキ装置Ｊによる支持が得られなくなっても、旋回止めピン１７でウイング板３の傾きを防止できる。
【００４０】
走行フレーム２に対するウイング板３の旋回を規制した状態で、固定用ピン４ｃを受金７から抜いて、ギヤードトロリ５のチェーン５ｂを操作すれば、ウイング板３が走行フレーム２と一体となって舞台Ｓの間口方向へ移動できる。ウイング板３の移動は、必ず、ジャッキ装置Ｊの支持部９を被支持部１５に当接させて、ウイング板３の走行フレーム２に対する旋回を不能とした状態で行われる。
【００４１】
そして、走行フレーム２を所望する位置へ移動させて、固定用ピン４ｃを所望する受金７に対向させて受金７に挿入すると、走行フレーム２が舞台Ｓ上のその場に固定される。ウイング装置Ｗをウイングとしたい場合には、ジャッキ装置Ｊの支持部９を被支持部１５に当接してウイング板３の走行フレーム２に対する旋回を規制して、客席側にウイング板３の表側である化粧面１１を正対させた状態で使用する。
【００４２】
これに対して、ウイング装置Ｗを側面反射板としたい場合には、旋回用ロックピン１３を受金１４内に挿入して、ウイング板３の下端を旋回用ロックピン１３によって旋回可能に位置決めされる状態とする。この状態では、ウイング板３の上端の舞台中央側端が連結軸１０ｄによって走行フレーム２によって支持されるとともに、ウイング板３の下端の舞台中央側端が旋回用ロックピン１３によって位置決めされるので、ウイング板３が走行フレーム２に対して傾かない状態となる。そうしておいてから、ジャッキ装置Ｊの支持部９を下降させて被支持部１５から離脱させても、ウイング板３は走行フレーム２に対して傾かずに旋回できる。そして、ウイング板３を走行フレーム２に対してウイング板３の裏側の音響反射面１２を舞台中央側に向くように旋回させて、固定用ピン１０ｅを受金１６に正対させた後、受金１６に固定用ピン１０ｅを挿入して、ウイング板３を固定する。このようにすると、ウイング板３の裏側の音響反射面１２が舞台Ｓの中央側を向いてウイング板３は、側面反射板として機能できる。
【００４３】
ここで、旋回用ロックピン１３を受金１４に挿入せずに、ジャッキ装置Ｊを駆動して支持部９を被支持部１５から離脱させるとジャッキ装置Ｊによる支持が無くなって、ウイング板３の上端の舞台中央側端が連結軸１０ｄによって支持されるのみとなる。ウイング板３の重心は、連結軸１０ｄの鉛直下方から図１中で舞台袖側にずれた位置にあるので、ジャッキ装置Ｊでウイング板３の支持が無くなると、ウイング板３の舞台袖側が下方へ傾いてしまう。ウイング板３が傾くと、ウイング板３が走行フレーム２に干渉したり、旋回用ロックピン１３を受金１４に正対させられず受金１４に挿入できなくなったりする場合がある。
【００４４】
よって、ウイング板３を移動させた後、或いは、ウイング板３をウイングとして機能させる状態から側面反射板として機能させる際には、必ず、旋回用ロックピン１３を受金１４に挿入してから、ジャッキ装置Ｊを駆動して被支持部１５から支持部９を離脱させるようにする必要がある。
【００４５】
そこで、本実施の形態では、ジャッキ装置Ｊの支持部９が被支持部１５を支持位置にあるか否かと、旋回用ロックピン１３が旋回時使用位置にあるか否かを把握して、ジャッキ装置Ｊの駆動を制御する制御装置を設けている。制御装置は、ジャッキ装置ＪにおけるモータＭの正転側の回転数と逆転側の回転数がそれぞれ所定回数となるとこれをトリガとして停止信号を出力するジャッキ用リミットスイッチＬＳ１と、旋回用ロックピン１３が旋回時使用位置に到達するとこれをトリガとして到達信号を出力するロックピン用リミットスイッチＬＳ２と、モータＭの駆動を制御する駆動制御部２０と、ウイング装置Ｗの操作者のジャッキ装置Ｊの操作を指示するための操作盤２１とを備えている。
【００４６】
ジャッキ用リミットスイッチＬＳ１は、モータＭの回転数を監視しており、モータＭの正転と逆転の双方の回転数が所定回転数となると駆動制御部２０へ停止信号を出力する。支持部９が被支持部１５に当接する上限位置からモータＭを逆転させて支持部９を被支持部１５から所定距離だけ離間させて下限位置にまで変位させる際に要するモータＭの回転数を所定回転数としている。モータＭの回転数は支持部９の変位量に比例するのでモータＭがどれだけ回転したか、つまり、駆動された際の回転数を把握すれば、被支持部１５に対する支持部９の位置を把握できる。
【００４７】
ロックピン用リミットスイッチＬＳ２は、旋回用ロックピン１３が操作者によって変位させられて旋回時使用位置に到達すると到達信号を駆動制御部２０へ出力する。
【００４８】
駆動制御部２０は、操作盤２１からモータＭを正転或いは逆転させる指示が入力されるとモータＭを駆動し、ジャッキ用リミットスイッチＬＳ１から停止信号が入力されるとモータＭを停止させる。モータＭの回転数は支持部９の変位量に比例しており、駆動制御部２０は、支持部９を被支持部１５側へ接近させる方向へモータＭを正転駆動した後に停止信号の入力でモータＭを停止させると支持部９が被支持部１５に当接する位置である上限位置にあると判断する。逆に、駆動制御部２０は、支持部９を被支持部１５から離間する方向へモータＭを逆転駆動した後に停止信号の入力でモータＭを停止させると支持部９が被支持部１５から離間して下限位置にあると判断する。さらに、駆動制御部２０は、支持部９が上限位置にあると判断している際に、ロックピン用リミットスイッチＬＳ２から到達信号が入力されていないと、操作盤２１から支持部９を被支持部１５から離間させる方向へモータＭを駆動する指示が入力されてもモータＭを駆動しない。つまり、駆動制御部２０は、旋回用ロックピン１３が受金１４内に挿入されて旋回時使用位置にある状態とならないと、支持部９を被支持部１５から離間させる方向へモータＭを駆動しない。
【００４９】
また、駆動制御部２０は、モータＭの電流を図外の電流センサによって監視しており、モータＭに過電流が流れるとモータＭを保護するためにモータＭを停止させる。駆動制御部２０は、このようにモータＭに過電流が流れるとモータＭを停止するので、ジャッキ用リミットスイッチＬＳ１が故障して停止信号を送信できなくなってモータＭが回転し続けるのを防止できる。
【００５０】
操作盤２１は、図５に示すように、操作者の押し下げ操作によってモータＭを正転駆動して支持部９を上限位置に変位させる指示を駆動制御部２０へ出力させる正転指示釦２２と、操作者の押し下げ操作によってモータＭを逆転駆動して支持部９を下限位置へ変位させる指示を駆動制御部２０へ出力させる逆転指示釦２３と、旋回用ロックピン１３の操作を行ってよいか否かの情報を操作者に与える表示部２４と、ジャッキ装置Ｊの異常時に点灯する異常表示灯２５とを備えている。
【００５１】
表示部２４は、青色に点灯する点灯部２４ａと、赤色に点灯する点灯部２４ｂと備えている。点灯部２４ａは、旋回用ロックピン１３の操作が可能である場合に点灯し、旋回用ロックピン１３の操作が可能な状態であることを操作者に知らせる。他方、点灯部２４ｂは、旋回用ロックピン１３の操作を行ってはならない場合に点灯し、旋回用ロックピン１３の操作が禁止される状態であることを操作者に知らせる。
【００５２】
表示部２４の点灯部２４ａ，２４ｂのオンオフの制御は、駆動制御部２０によって行われる。駆動制御部２０は、ジャッキ装置Ｊにおける支持部９が上限位置にあると判断する場合に、点灯部２４ａを点灯させるとともに点灯部２４ｂを消灯して、操作者に旋回用ロックピン１３の操作が可能である旨を知らせる。また、駆動制御部２０は、ジャッキ装置Ｊにおける支持部９が下限位置にあると判断する場合には、点灯部２４ａを消灯させるとともに点灯部２４ｂを点灯して、操作者に旋回用ロックピン１３の操作を禁止される状態である旨を知らせる。
【００５３】
以上、駆動制御部２０は、支持部９が上限位置にあり被支持部１５に当接している場合には、旋回用ロックピン１３の受金１４への抜き差しをしてもウイング板３がジャッキ装置Ｊで支持されておりウイング板３の傾きを阻止できるので、旋回用ロックピン１３の操作が可能な状態であると判断する。よって、この場合には、駆動制御部２０は、操作者に旋回用ロックピン１３の操作が可能な状態であることを知らせるべく、表示部２４の点灯部２４ａを点灯させるとともに点灯部２４ｂを消灯する。これに対して、駆動制御部２０は、支持部９が下限位置にあり被支持部１５から離間している場合には、旋回用ロックピン１３の受金１４への抜き差しをするとウイング板３がジャッキ装置Ｊで支持されておらずウイング板３が傾いてしまうので、旋回用ロックピン１３の操作が禁止される状態であると判断する。よって、この場合には、駆動制御部２０は、操作者に旋回用ロックピン１３の操作を禁止する状態であることを知らせるべく、表示部２４の点灯部２４ｂを点灯させるとともに点灯部２４ａを消灯する。
【００５４】
また、旋回用ロックピン１３が旋回時使用位置にある場合には、連結軸１０ｄと旋回用ロックピン１３が旋回軸としてウイング板３の傾きを阻止しつつウイング板３の旋回を許容でき、支持部９を被支持部１５に当接させても離間させてもよい状態にある。よって、駆動制御部２０は、旋回用ロックピン１３が旋回時使用位置にある場合には、操作者の正転指示釦２２或いは逆転指示釦２３の押し下げによって入力されるモータＭの駆動指示に従ってモータＭを駆動する。モータＭを駆動すると、ジャッキ用リミットスイッチＬＳ１から停止信号が入力されると、これをトリガとしてモータＭの駆動を停止する。
【００５５】
これに対して、旋回用ロックピン１３が旋回時使用位置にない場合には、支持部９が被支持部１５から離間してしまうと、連結軸１０ｄのみでウイング板３を支持する格好となってウイング板３が傾いてしまうので、支持部９を被支持部１５に当接した状態に維持しなくてはならない。よって、駆動制御部２０は、旋回用ロックピン１３が旋回時使用位置にない場合には、操作者の逆転指示釦２３の押し下げによって入力されるモータＭの逆転駆動指示には従わず、モータＭを逆転駆動しない。他方、モータＭを正転駆動させる指示が入力されるとモータＭを正転駆動して、支持部９を被支持部１５へ接近させる方向へモータＭを駆動する。支持部９が被支持部１５から離間している場合には、ジャッキ用リミットスイッチＬＳ１から停止信号が入力されるまでモータＭを正転駆動し、正転駆動指示を受け取った際に支持部９が被支持部１５に当接していてジャッキ用リミットスイッチＬＳ１から停止信号が入力されている場合にはモータＭを駆動しない。
【００５６】
また、駆動制御部２０は、モータＭを正転させてから停止すると支持部９が被支持部１５に当接してウイング板３の舞台袖側端を支持する上限位置にあると判断し、モータＭを逆転させてから停止すると支持部９が被支持部１５から離間してウイング板３の舞台袖側端の支持しない下限位置にあると判断する。そして、駆動制御部２０は、モータＭを駆動した後は、支持部９の位置に応じて表示部２４の点灯部２４ａ，２４ｂの一方を選択して点灯させる。
【００５７】
このように制御装置が構成されると、旋回用ロックピン１３が受金１４内に挿入されてウイング板３の傾きが阻止される状態にならないと、支持部９が被支持部１５から離間する方向へモータＭを駆動する指示が入力されても、モータＭを支持部９が被支持部１５から離間する方向へ駆動しない。よって、旋回用ロックピン１３が受金１４内に挿入されておらずウイング板３の傾きが阻止されない状態で操作者が逆転指示釦２３を押し下げても、モータＭが駆動されないので、ウイング板３が傾いてしまうのを未然に防げる。
【００５８】
また、支持部９が被支持部１５から離間してウイング板３をジャッキ装置Ｊで支持していない状態で旋回用ロックピン１３を受金１４から抜いてしまうとウイング板３が傾いてしまう。このように、支持部９が被支持部１５から離間していてウイング板３をジャッキ装置Ｊで支持していない状態では、制御装置は表示部２４の点灯部２４ｂを点灯させて操作者に旋回用ロックピン１３の操作が禁止される状態である旨を操作者に伝達する。他方、支持部９が被支持部１５に当接していてウイング板３をジャッキ装置Ｊで支持している状態では、制御装置は表示部２４の点灯部２４ａを点灯させて操作者に旋回用ロックピン１３の操作が可能な状態である旨を操作者に伝達する。よって、制御装置は、表示部２４によって操作者に注意喚起を促して旋回用ロックピン１３の操作を行ってよいか否かを知らせ得る。
【００５９】
また、駆動制御部２０は、モータＭの過電流を検知すると操作盤２１における異常表示灯２５を点灯させて操作者にジャッキ装置Ｊに異常が発生した旨を知らせる。
【００６０】
なお、制御装置は、支持部９の位置と旋回用ロックピン１３の位置を把握できればよいので、これらの位置の把握には、リミットスイッチ以外のセンサを利用してもよい。
【００６１】
以上のように、ウイング装置Ｗは、舞台Ｓの上方に舞台Ｓの間口方向に沿って設置される走行レール１と、走行レール１から吊り下げられて走行レール１に沿って走行可能な走行フレーム２と、走行フレーム２に対して鉛直方向を軸にして旋回可能に連結されて舞台Ｓの間口を調節するウイング板３とを備え、ウイング板３は、表側に設けられる舞台Ｓの間口の調節時に使用される化粧面１１と、裏側に設けられる音響反射面１２とを有している。このように構成されたウイング装置Ｗは、ウイング板３の化粧面１１を客席側に正対させると舞台Ｓの間口を調節するウイングとして機能し、ウイング板３を旋回させて音響反射面１２を舞台Ｓの中央側に向けて配置すると側面反射板として機能できる。このようにウイング装置Ｗは、大編成のオーケストラに対応可能な奥行長さの側面反射板の格納が困難な多目的ホールにあっても、ウイング板３を側面反射板として利用して側面反射板の奥行長さの不足を補える。
【００６２】
よって、本発明のウイング装置Ｗによれば、舞台Ｓの間口の調整が可能であるとともに、側面反射板としても利用でき側面反射板の奥行方向の長さ不足を補えるのである。
【００６３】
また、本実施の形態のウイング装置Ｗは、ウイング板３を走行フレーム２に対して旋回不能とする固定部を備えている。このように固定部を設けると、走行レール１に対してウイング板３を移動させる際に、ウイング板３を走行フレーム２に一体化でき、スムーズにウイング板３を移動させ得る。
【００６４】
さらに、本実施の形態のウイング装置Ｗでは、ウイング板３は、上端における一端（舞台中央側端）が走行フレーム２に旋回可能に連結されるとともに、上下方向に移動可能であって舞台Ｓに設けた受金１４に抜き差し可能であって、受金１４に挿入された際にウイング板３の旋回軸となる旋回用ロックピン１３を有している。このように構成されたウイング装置Ｗによれば、ウイング板３に舞台Ｓの旋回用ロックピン１３を設けているので、ウイング板３を旋回させる際にウイング板３の走行フレーム２に対する傾きを防止でき、ウイング板３が走行フレーム２に干渉するのを防止できる。
【００６５】
また、本実施の形態のウイング装置Ｗでは、固定部がウイング板３の上端における他端（舞台袖側端）に設けられた被支持部１５と、被支持部１５の下方に配置される支持部９と、支持部９を被支持部１５に対して上下方向に駆動可能なアクチュエータ(駆動部)８とを有して、走行フレーム２に設けられるジャッキ装置Ｊとを備えている。このように構成されたウイング装置Ｗによれば、ウイング板３の走行フレーム２に対する旋回を規制できるとともに、一端が走行フレーム２に回転支持されるウイング板３の他端をジャッキ装置Ｊで支持できるから、走行フレーム２とウイング板３とを一体とした際の傾きを防止できる。よって、このウイング装置Ｗによれば、旋回用ロックピン１３を受金１４への挿入が容易となり、ウイング板３が走行フレーム２に干渉するのを防止できる。
【００６６】
さらに、本実施の形態のウイング装置Ｗでは、ジャッキ装置Ｊが支持部９を被支持部１５に当接する位置である上限位置と、予め設定される下限位置まで移動させるとアクチュエータ(駆動部)８を停止させる。このように構成されたウイング装置Ｗによれば、ジャッキ装置Ｊを自動的に上限位置と下限位置に停止できるので、操作者が目視でジャッキ装置Ｊがウイング板３を支持しているか否かを確認しなくてもよく、ウイング板３を走行フレーム２に固定する作業が容易となる。
【００６７】
また、本実施の形態のウイング装置Ｗでは、ジャッキ装置Ｊは、支持部９が上限位置にある場合に、旋回用ロックピン１３が受金１４に挿入されていない場合には支持部９を下方へ駆動しない。このようにウイング装置Ｗが構成されると、操作者が誤ってウイング板３が傾いてしまうような操作を行ってもジャッキ装置Ｊは駆動されないので、ウイング板３と走行フレーム２との干渉を未然に防げる。
【００６８】
そして、本実施の形態のウイング装置Ｗでは、走行フレーム２が走行レール１を走行するギヤードトロリ５を備えているので、走行フレーム２とウイング板３の移動にあたって操作者の負担を軽減できる。
【００６９】
なお、前述したところでは、走行フレーム２は、横材４ａと縦材４ｂとを備えたフレーム本体４を備えているが、フレーム本体４における縦材４ｂを省略してもよい。その場合、ウイング板３の下端に固定用ピンを設けて走行フレーム２とウイング板３を舞台Ｓ上に固定できるようにすればよい。
【００７０】
以上、本発明の好ましい実施の形態を詳細に説明したが、特許請求の範囲から逸脱しない限り、改造、変形および変更が可能である。
【符号の説明】
【００７１】
１・・・走行レール、２・・・走行フレーム、３・・・ウイング板、５・・・ギヤードトロリ、８・・・アクチュエータ(駆動部)、９・・・支持部、１１・・・化粧面、１２・・・音響反射面、１３・・・旋回用ロックピン、１４・・・受金、１５・・・被支持部、Ｊ・・・ジャッキ装置、Ｓ・・・舞台、Ｗ・・・ウイング装置
【図１】
2019203300.tif 000003
【図２】
2019203300.tif 000004
【図３】
2019203300.tif 000005
【図４】
2019203300.tif 000006
【図５】
2019203300.tif 000007